(57)【要約】【課題】本発明は、市販のティッシュペーパー箱のサイズのばらつきの内、縦および高さに関しては幾らでもばらつきを許容でき、幅に関しては、現在の市販品のばらつきを許容できて、しっかりと保持可能なティッシュペーパー箱ホルダーを提供することを目的とする。【解決手段】本発明のティッシュペーパー箱ホルダーは、金属板または可撓性のプラスチックにより、ティッシュペーパー箱８０が挿入できる幅で、コの字状に形成された板体１のコの字状に形成された側面板１１に、先端が尖り、先端の向きがコの字状に形成された底板１３側に傾斜し、その先端間の距離がティッシュペーパー箱の幅よりも狭くなるように複数の爪状部分１２を形成し、コの字状に形成された底板１３には、止着用穴１４を設けた構成とする。【選択図】    図１
2006130281.tif 000002
【特許請求の範囲】
【請求項１】
金属板または可撓性のプラスチックにより、ティッシュペーパー箱（８０）が挿入できる幅で、コの字状に形成された板体（１）のコの字状に形成された両側面板（１１）に、先端が尖り、先端の向きがコの字状に形成された底板（１３）側に傾斜し、その先端間の距離がティッシュペーパー箱の幅よりも狭くなるように複数の爪状部分（１２）を形成し、コの字状に形成された底板（１３）には、止着用穴（１４）を設けたティッシュペーパー箱ホルダー。
【請求項２】
コの字状の先端部の幅を広くしテーパー状をなすコの字状に形成された側面板（１１）により形成してなる請求項１記載のティッシュペーパー箱ホルダー。
【請求項３】
爪状部分（１２）の先端側に爪状部分先端平坦部分（１９）を形成し、その中央部に爪状部分先端鋭角部分（１８）を形成してなる請求項１または２記載のティッシュペーパー箱ホルダー。
【請求項４】
四角に打ち抜いた金属板の左右２箇所に折り曲げ可能になるように加工した金属折り曲げ部（２２）を設け、９０度以上折り曲げて左右対称の金属側面板部（２１）を形成し、さらに金属側面板部（２１）の先端側に折り曲げ可能になるように加工した金属爪状部形成用折り曲げ部（２４）を設け、金属折り曲げ部（２２）側の部分を切り離しかつ、この爪状部形成用折り曲げ部より左右に形成される金属爪状部形成用側面板部（２３）と繋がった形の鋭角の金属板爪状部（２５）を形成し、金属側面板部（２１）を曲げた向きと反対向きに金属板爪状部（２５）と爪状部形成用側面板部（２３）を一体にして折り曲げ、金属板爪状部（２５）の先端間の距離がティッシュペーパー箱の幅よりも狭くなるように形成し、四角の金属板の左右の金属折り曲げ部（２２）の間に形成される金属底板部（２６）の複数個所に金属板止着用穴（２７）を設けてなる請求項１〜３のいずれかに記載のティッシュペーパー箱ホルダー。
【請求項５】
金属側面板部（２１）の上下の中央部分を抜き加工により取付用金属板部（２８）を形成し、この取付用金属板部（２８）にフック等に引っ掛けるためのフック用取付穴（２９）を抜き加工し、さらに金属板止着用穴（２７）を抜き加工してなる請求項１〜４のいずれかに記載のティッシュペーパー箱ホルダー。
【請求項６】
コの字状に形成された板体（１）のコの字状に形成された底板（１３）またはコの字状に形成された側面板（１１）に両面テープまたは磁石板を取り付けてなる請求項１〜５のいずれかに記載のティッシュペーパー箱ホルダー。
【発明の詳細な説明】
【技術分野】
【０００１】  本発明は、ティッシュペーパーを収納したティッシュペーパー箱を保持して使い勝手をよくするティッシュペーパー箱ホルダーに関するものである。
【背景技術】
【０００２】  ティッシュペーパーは便利がいいものであり、箱に入れたティッシュペーパーは使い易くて特に便利がよいものであるが、用がない時には、箱が嵩張って邪魔になることティッシュペーパーを片手で取り出そうとすると箱が一緒に動いて取り出し難いなどの使い勝手が悪い面がある。そのため、このティッシュペーパー箱をしっかりと保持し、かつ、机の側面、テーブルの下面、壁面、冷蔵庫の側面などに、簡単に取り付けできるティッシュペーパー箱ホルダーの発明が期待され、各種の考案・発明が提案されている。
現在までに提案されたティッシュペーパー箱ホルダーを大きく分類すると箱全体収容型、箱上面保持型、箱側面保持型である。
箱全体収容型および箱上面保持型は、摩擦抵抗も併用することがあるにしても基本的には箱そのものを保持する構成である。例えば特開平１１−１３７４７６は図３のようにティッシュペーパー箱８０の両側面、底部、上面、の４面を側壁９１、基板底部９２、上壁９３により締め付ける構成である。
【特許文献１】特開平１１−１３７４７６
【実新文献１】
実開昭６０−４８７９２
【実新文献２】
登実３０８９８７５
【実新文献３】
登実３０３８８８６
箱側面保持型の中で幅一定の構成にしたものは、ティッシュペーパー箱の側面を単純に保持する構成である。
【実新文献４】
実開平３−９４１９６
【実新文献５】
実開昭６０−９１０９４
【実新文献６】
実開昭５５−２７６７７
【実新文献７】
実開昭５５−１２７５９６
箱側面保持型の中で保持部分を可動型の構成にしたものでは、挟持する部分の構成体が別々ものでティッシュペーパー箱を挟むように取り付ける構成のもの、また挟持する部分にばねを使って構成するものがある。
【実新文献８】
実開平６−６９１３９
【実新文献９】
登実３０８８１１６
【発明の開示】
【発明が解決しようとする課題】
【０００３】  以上述べた従来のティッシュペーパー箱ホルダーには色々な問題がある。これらの問題を以下に列記する。【０００４】  市販のティッシュペーパー箱のサイズ・重量は一定ではない。ティッシュペーパー箱のティッシュペーパー取出し口を上にしておいた場合、上から見た長方形の長さが短い方を幅、長い方を横幅、上下方向を高さということにして以下説明する。身近にあるものをみても幅１１５〜１２１ｍｍ、横幅２４３〜２４８ｍｍ、高さ５０〜９５ｍｍ、重量２４０〜４００ｇである。
例えば市販のティッシュペーパー箱の高さサイズがホルダーの高さよりも小さい場合、箱全体収容型および箱上面保持型では、上下方向の保持が出来ずに、がたがたする。逆にホルダーの高さよりもティッシュペーパー箱の高さが大きい場合、ティッシュペーパー箱が入らない。市販のティッシュペーパー箱のサイズは上記のようにばらつきがあるので、各種サイズのホルダーを提供することも考えられるが、そうしたとしてもティッシュペーパーのサイズを確認して購入する必要があり実際問題として使えないものであった。【０００５】  例えば市販のティッシュペーパー箱の幅サイズがホルダーの幅よりも小さい場合、箱側面保持型の中で幅一定の構成にしたものでは、保持が出来ず抜けてしまう。逆にホルダーの幅よりもティッシュペーパー箱の幅が大きい場合、ティッシュペーパー箱が入れ難いという問題があった。【０００６】  箱側面保持型の中で保持部分を可動型の構成にしたものでは、箱の幅のばらつきには対応できるけれども、挟持する部分の構成体が別々ものでは、着脱するときにずれを生じることがあるなどから保持し難く使い勝手が悪く、また挟持する部分にばねを使って構成するものでは構造が複雑になること、箱を入れ難く、どちらも不便であった。【０００７】  本発明は、このような従来の構成が有していた問題を解決しようというものであり、市販のティッシュペーパー箱のサイズのばらつきの内、横幅および高さに関しては幾らでもばらつきを許容でき、幅に関しては、現在の市販品のばらつきを許容できて、しっかりと保持可能なティッシュペーパー箱ホルダーを提供することを目的とするものである。
【課題を解決するための手段】
【０００８】  本発明の課題を解決するための請求項１に係る本発明は、金属板または可撓性のプラスチックにより、ティッシュペーパー箱８０が挿入できる幅で、コの字状に形成された板体１のコの字状に形成された側面板１１に、先端が尖り、先端の向きがコの字状に形成された底板１３側に傾斜し、その先端間の距離がティッシュペーパー箱の幅よりも狭くなるように複数の爪状部分１２を形成し、コの字状に形成された底板１３には、止着用穴１４を設けたティッシュペーパー箱ホルダーである。【０００９】  請求項２に係る本発明は、コの字状の先端部の幅を広くしテーパー状をなす、前記コの字状に形成された側面板１１により形成してなる請求項１記載のティッシュペーパー箱ホルダーである。【００１０】  請求項３に係本発明は、前記爪状部分１２の先端側に爪状部分先端平坦部分１９を形成し、その中央部に爪状部分先端鋭角部分１８を形成してなる請求項１または２記載のティッシュペーパー箱ホルダーである。【００１１】  請求項４に係る本発明は、前記のコの字状に形成された板体１を金属板１枚で形成するものであり、四角に打ち抜いた金属板の左右２箇所に折り曲げ可能になるように加工した金属折り曲げ部２２を設け、９０度以上折り曲げて左右対称の金属側面板部２１を形成し、さらに金属側面板部２１の先端側に折り曲げ可能になるように加工した金属爪状部形成用折り曲げ部２４を設け、金属折り曲げ部２２側の部分を切り離しかつ、この爪状部形成用折り曲げ部より左右に形成される金属爪状部形成用側面板部２３と繋がった形の鋭角の金属板爪状部２５を形成し、金属側面板部２１を曲げた向きと反対向きに金属板爪状部２５と爪状部形成用側面板部２３を一体にして折り曲げ、金属板爪状部２５の先端間の距離がティッシュペーパー箱の幅よりも狭くなるように形成し、四角の金属板の左右の金属折り曲げ部２２の間に形成される金属底板部２６の複数個所に金属板止着用穴２７を設けてなる請求項１〜３のいずれかに記載のティッシュペーパー箱ホルダーである。【００１２】  請求項５に係る本発明は、前記の金属側面板部２１の上下の中央部分を抜き加工により取付用金属板部２８を形成し、この取付用金属板部２８にフック等に引っ掛けるためのフック用取付穴２９を抜き加工し、さらに金属板止着用穴２７を抜き加工してなる請求項１〜４のいずれかに記載のティッシュペーパー箱ホルダーである。【００１３】  請求項６に係る本発明は、前記のコの字状に形成された板体１のコの字状に形成された底板１３またはコの字状に形成された側面板１１に両面テープまたは磁石板を取り付けてなる請求項１〜５のいずれかに記載のティッシュペーパー箱ホルダーである。
【発明の効果】
【００１４】  請求項１の発明によると、本発明のティッシュペーパー箱ホルダーは、図１のように、ティッシュペーパー箱の側面を保持する構成であるため、横幅および高さに関しては幾らでもばらつきを許容できる。幅のばらつきに関しても爪状部分１２およびコの字状に形成された側面板１１の柔軟性によって、吸収できる。
本発明の構成により、ティッシュペーパー箱の幅のばらつきがあってもティッシュペーパー箱８０を保持できる原理を、図４を参照しながら説明する。ティッシュペーパー箱８０の幅が狭い場合には、図４の（イ）のように、コの字状に形成された側面板１１が中央側に曲げられ、爪状部分１２も伸びた状態で、左右の爪状部分１２間の距離が狭くなっていて、ティッシュペーパー箱８０を保持する。ティッシュペーパー箱８０の幅が広い場合には、図４の（ロ）のように、コの字状に形成された側面板１１が両側に押し広げられた状態で、爪状部分１２も多少縮こまった状態で、左右の爪状部分１２間の距離が広くなっていて、ティッシュペーパー箱８０を保持する。ティッシュペーパー箱８０の狭い寸法Ａと広い寸法Ｂの差を爪状部分１２とコの字状に形成された側面板１１の弾性によって吸収する。
本発明の構成により、しっかりとティッシュペーパー箱を保持できる原理を、図５を参照しながら説明する。  ティッシュペーパー箱８０を挿入した時には、爪状部分１２はＤの方向に押され、コの字状に形成された側面板１１および爪状部分１２の弾性による反発力がＢ方向に発生し、ティッシュペーパー箱８０の反対側側面にも同様にＣ方向に反発力が発生してバランスが保たれている。そして爪状部分１２の先端はティッシュペーパー箱に少し食い込んだ状態になっている。ティッシュペーパー箱８０にＡ方向に力がかかると、爪状部分１２は爪状部分の根元部分２０を支点にしてＥ方向に回転する動きをするためティッシュペーパー箱８０の側面に爪が食い込むような作用が働きティッシュペーパー箱８０をティッシュペーパー箱ホルダーから抜くような力に対してロックがかかるように働らく。このようにしっかりとティッシュペーパー箱８０をティッシュペーパー箱ホルダーに保持できる。ティッシュペーパーを使いきって、箱を取り外したいときには、コの字状に形成された側面板１１の上端部分１７を指によってＹ方向に押せば、コの字状に形成された側面板１１の下端部分１６を支点としてＸ方向に回転し、それとともに爪状部分１２の先端がＺ方向に移動するためティッシュペーパー箱８０の側面から爪状部分１２の先端が離れ、容易にティッシュペーパー箱を取り出すことができる。
このように、市販のティッシュペーパー箱のサイズのばらつきの内、横幅および高さに関しては幾らでもばらつきを許容でき、幅に関しては、現在の市販品のばらつきを許容できて、しっかりと保持可能なティッシュペーパー箱ホルダーを提供することができる。【００１５】  請求項２の発明によると、図４のように、コの字状の先端部の幅を広くしテーパー状をなすコの字状に形成された側面板１１によりコの字状に形成された板体１を形成することによって、ティッシュペーパー箱８０をコの字状に形成された板体１に挿入する場合に、入れ易くなる。
請求項１の発明による効果に請求項２の発明による効果が加わって、市販のティッシュペーパー箱のサイズのばらつきの内、横幅および高さに関しては幾らでもばらつきを許容でき、幅に関しては、現在の市販品のばらつきを許容できて、しっかりと保持可能であり、かつ入れ易く、空箱を取り出し易いティッシュペーパー箱ホルダーを提供することができる。【００１６】  請求項３の発明によると、前記の爪状部分１２の先端側に爪状部分先端平坦部分１９を形成し、その中央部に爪状部分先端鋭角部分１８を形成することによって、万が一爪状部分１２の先端部分に偶然、指などが触った場合でも、かすり傷を負うことを防止できる。その原理を、図６を参照しながら説明する。図６の（イ）のように指１００が爪状部分先端鋭角部分１８に偶然接触したとしても、その両側の指の肉が爪状部分先端平坦部分１９に遮られて、それ以上深く爪状部分先端鋭角部分１８が指に食い込まない。包帯をとめる金具でも小さな爪状部分を有しているが、小さいために筋肉に食い込みにくく安全であって従来から一般に使用されている。また接触していた指をＡ方向に動かした場合、爪状部分の根元部分２０を支点として爪状部分先端鋭角部分１８がＢ方向に回転して柔軟なためかすり傷を負うことがない。指を前後方向に動かした場合でも、爪状部分先端鋭角部分１８は鋭角であるがテーパーがあること、食い込みが小さいことからかすり傷を負うことがない。比較説明用の図６の（ハ）のような形状にした場合、指の肉に深く食い込み危険である。【００１７】  請求項４の発明によると、本発明のティッシュペーパー箱ホルダーは、前述したように、差し込むことによって簡単にティッシュペーパー箱を取り付けることができて、しっかりとティッシュペーパー箱を保持でき、しかもティッシュペーパーを使いきって、箱を取り外したいときには、指によって、容易にティッシュペーパー箱を取り出すことができるという従来のティッシュペーパー箱ホルダーでは果たせなかった機能を持っているのであるが、さらに金属板１枚で実施するティッシュペーパー箱ホルダーであり、１枚の金属板でプレス加工されるものであるから、高機能が発揮されるにも関わらず安く製作でき、商品がユーザーに渡るまで、１枚の金属板で流通することができるので、流通コスト、商品陳列コスト、倉庫代等々も安くおさまるというコストメリットがある。そして、ＤＩＹ店での取り扱いにしてもよいし、不器用な人向けに曲げ加工したものを提供してもよいという自由度もある。【００１８】  請求項５の発明によると、本発明のティッシュペーパー箱ホルダーの取付け、取外しは木ネジ等による止着による以外に、フック等があるところでは簡単に引っ掛けて使用が可能であり、各所に簡単に移動が可能である。市販のフック等が使用できるので、止着するよりも取り付けが容易である。【００１９】  請求項６の発明によると、両面テープまたは磁石板も装着可能であり、取り付けの自由度が非常に高い。コの字状に形成された側面板１１に両面テープまたは磁石板を取り付けることも可能であり、ティッシュペーパー箱ホルダーの取り付けの自由度がさらに高まる。木ネジ等によって止着するよりも取り付けが容易であるとともに壁面などに���をつけることなく取り付けが可能であり、取り付け替えも簡単である。特に磁石板では、金属の平面が確保できる場合には、至って容易に取り付け、取外しが可能である。【００２０】  このようにユーザーが長年期待していた使い易くて、便利がよく、しかも安いティッシュペーパー箱ホルダーを提供できる。
【発明を実施するための最良の形態】
【００２１】  本発明に係るティッシュペーパー箱ホルダーの最良の実施形態について説明する。実施形態を分かり易く説明するため図を参照しながら順次説明する。【００２２】  図１のようにティッシュペーパー箱８０が容易に挿入できる幅で、金属板をプレス加工するかまたは、可撓性があるプラスチックによってコの字状に板体を形成し、コの字状に形成された側面板１１に、先端の向きがコの字状に形成された底板１３側に傾斜した形で、図６の（ロ）の形状の爪状板を金属板プレスによって形成するかまたは、硬質プラスチックまたは金属板で作成した爪状板をインサートする。この爪状板の先端間の距離がティッシュペーパー箱の幅よりも狭くなるように４個形成する。そしてコの字状に形成された底板１３には、止着用穴１４を設ける。このようにして、便利がよく、しかも安いティッシュペーパー箱ホルダーを提供できる。
最良の形態の変形として、図２にその実施例の一つの形態の斜視図を示す、金属板１枚をプレス加工することによって、ＤＩＹ用としてもよく、不器用な人向けに曲げ加工したものを提供してもよい軽量・コンパクト・安価でかつ便利さは優れている実施例につき図を参照しながら以下に述べる。【００２３】  図７の（イ）のように金属板をプレス加工する。全周を打抜き加工する。左右対称の位置に金属爪状部形成用折り曲げ部２４を形成するために小さな穴抜き加工する。この部分は、完全に穴抜きをせずに押し型加工でもよいし、Ｖ字ビード加工またはＲビード加工でもよい。金属板爪状部２５を形成するために左右対称に上下に２箇所の合計４箇所に爪状の形にそった溝状の穴抜き加工する。金属折り曲げ部２２を形成するために、左右対称の位置に小さな穴抜き加工する。これも金属爪状部形成用折り曲げ部２４と同様に完全に穴抜きをせずに押し型加工でもよいし、Ｖ字ビード加工またはＲビード加工でもよい。金属板止着用穴２７を形成するために、金属底板部２６の左右対称の位置に取付ネジ用の穴抜き加工する。左右の金属折り曲げ部２２の間の金属底板部２６の部分の幅は、１３０ｍｍで試作するとよい結果を得ているが、金属側面板部２１の長さによっては増減することが好ましい。穴抜き加工を含む打抜き加工部分のバリの仕上げは、研磨などによって除いてもよいし、ハゼ折押しつぶし加工によってもよい。また金属底板部２６や金属側面板部２１の補強のため波加工などを施してもよい。
金属板爪状部２５は他の部分との弾性の調整のため厚さや材質が異なる金属を溶接などの手段による結合によって形成することもできる。また金属板爪状部２５の境目に金属爪状部形成用折り曲げ部２４と同様に小さな穴抜き加工、完全に穴抜きをせずに押し型加工、Ｖ字ビード加工またはＲビード加工することによって、もともと金属爪状部形成用折り曲げ部２４によって金属板爪状部２５の弾性を得ているのであるが、さらなる調整を図ることができる。
これで金属板によるティッシュペーパー箱ホルダー１の本体は完成する。【００２４】  金属板によるティッシュペーパー箱ホルダー１の組立は、図７の（ロ）のように金属折り曲げ部２２より、９０度以上折り曲げて左右対称の金属側面板部２１を形成する。さらに図７の（ハ）のように金属爪状部形成用折り曲げ部２４より、金属側面板部２１を曲げた向きと反対向きに金属板爪状部２５と爪状部形成用側面板部２３を一体にして折り曲げ、金属板爪状部２５の先端間の距離がティッシュペーパー箱の幅よりも小さくなるように形成する。金属板爪状部２５と爪状部形成用側面板部２３との間は繋がっているので、金属板爪状部２５は爪状部形成用側面板部２３と一緒の角度で曲がる。
この組立作業は、ユーザーが行うものとして説明書を入れＤＩＹ店での取り扱いにしてもよいし、不器用な人向けに曲げ加工したものを提供してもよいという自由度がある。【００２５】  金属板によるティッシュペーパー箱ホルダー１の形は使い勝手の好みに対応するため図７の形態以外に図８のような形態のものも作成することができる。
図８の（イ）はフックにかける使い方ができる形態にすることが可能である。金属側面板部２１の中央部分を分離し金属折り曲げ部２２の小さな穴抜き加工などの曲げ易い加工を施さず金属側面板部２１を形成する場合、この部分を取付用金属板部２８として使用する。この部分にフック用取付穴２９および金属板止着用穴２７の穴抜き加工する。
図８の（ロ）はフックにかける使い方ができる形態のものであるが、金属側面板部２１および金属爪状部形成用側面板部２３を形成するために曲げるときに上下の曲げ具合を揃えたいという場合のために金属爪状部形成用側面板部２３を繋いだ形にしたものである。
図８の（ハ）は上記（ロ）の形態の変形として、フックにかける必要がないという場合の用途として使用することができる。
フック用取付孔２９は、図１０（イ）のように横向きの長穴、図１０（ロ）のように縦向きの長穴にすることによってフックの形態に対して適合しやすくすることができる。【００２６】  本発明のティッシュペーパー箱ホルダーの取付け、取外しは木ネジ等による止着による以外に、両面テープ７１または磁石板７２を接着するができる。
図９の（イ）のように両面テープ７１または磁石板７２を複数個所接着することができる。また図９の（ロ）のように両面テープ７１または磁石板７２を１枚接着することができる。両面テープ７１、磁石板７２とも、接着作業は、ユーザーが行うものとして説明書を入れＤＩＹ店での取り扱いにしてもよいし、不器用な人向けに接着したものを提供してもよい。【００２７】  金属板爪状部２５の形態は、図１１の（イ）〜（ヘ）に示すように、いろいろの形態にすることができる。ただし前記図６で説明したように、図６の（ロ）の形態が好ましく、図１１の場合、（ロ）は図で見た場合の上から下に向けてはテーパーが形成されておらずかすり傷が発生することもあり得る。また図１１の（ハ）、（ニ）、（ホ）については図で見た場合の上から下に向けて、または下から上に向けてテーパーが形成されておらず、かすり傷が発生することもあり得る。図１１の場合は、（イ）および（ヘ）が好ましい。【００２８】  以上述べたように、金属板１枚をプレス加工することによって、ＤＩＹ用としてもよく、不器用な人向けに曲げ加工して提供してもよい、軽量・コンパクト・安価でかつ便利なティッシュペーパー箱ホルダーの提供を実現できる。
【産業上の利用可能性】
【００２９】  本発明によれば、軽量・コンパクト・安価でかつ便利なティッシュペーパー箱ホルダーが提供され、生活空間が改善されて快適な生活ができるなど極めて有用である。
【図面の簡単な説明】
【００３０】
【図１】コの字状に形成された板体１およびティッシュペーパー箱の斜視図
【図２】金属板ティッシュペーパー箱ホルダー２の構成を分かり易く説明するための斜視図
【図３】特許文献１のティッシュペーパー箱ホルダーの構成を説明する図であり、（イ）は斜視図、（ロ）はティッシュペーパー箱８０を入れたときの様子を分かり易く説明するための側面図
【図４】ティッシュペーパー箱８０を入れたときの様子を分かり易く説明するためのコの字状に形成された板体１の側面図であり、（イ）は幅が狭いティッシュペーパー箱を想定した場合の側面図、（ロ）は幅が広いティッシュペーパー箱を想定した場合の側面図
【図５】しっかりとティッシュペーパー箱を保持できる原理を説明するための模式図
【図６】かすり傷を負うことを防止できる原理を説明するための模式図であり、（イ）は爪状部分先端平坦部分１９を設けた爪状部分１２を側面から見た模式図、（ロ）は爪状部分先端平坦部分１９を設けた爪状部分１２の模式図、（ハ）は爪状部分先端平坦部分１９を設けていない爪状部分１２を側面から見た模式図（ニ）は爪状部分先端平坦部分１９を設けていない爪状部分１２の模式図
【図７】金属板１枚をプレス加工することによってティッシュペーパー箱ホルダーを作成することを説明するための模式図であり、（イ）はプレス加工した状態を説明するための模式図、（ロ）は金属折り曲げ部２２から折り曲げて金属側面板部２１を形成することを説明するための模式図、（ハ）は金属爪状部形成用折り曲げ部２４から金属爪状部形成用側面板部２３と金属板爪状部２５を一体にして折り曲げて金属板ティッシュペーパー箱ホルダー２を作成することを説明するための模式図
【図８】金属板ティッシュペーパー箱ホルダー２の形態の種類を説明するための模式図であり、（イ）はフックにかける使い方ができる形態にすることが可能である形態のものの説明をするための模式図、（ロ）はフックにかける使い方ができる形態のものであるが、金属側面板部２１および金属爪状部形成用側面板部２３を形成するために曲げるときに上下の曲げ具合を揃えたいという場合の形態のものの説明をするための模式図、（ハ）は（ロ）の形態の変形として、フックにかける必要がないという場合の用途として使用することができる形態のものの説明をするための模式図
【図９】金属板ティッシュペーパー箱ホルダー２に両面テープ７１または磁石板７２を接着することができることを説明するための模式図であり、（イ）は複数個所に貼り付ける場合の模式図、（ロ）は広いものを１枚貼り付ける場合の模式図
【図１０】フック用取付孔２９の形態の種類を説明するための模式図であり、（イ）は横向きの長穴の形態の模式図、（ロ）は縦向きの長穴の形態の模式図
【図１１】金属板爪状部２５の形態の種類を説明するための模式図であり、（イ）および（ヘ）は好ましい形態の金属板爪状部の例の模式図、（ハ）、（ニ）、（ホ）は必ずしも好ましいとは限らない形態の金属板爪状部の例の模式図
【符号の説明】
【００３１】    １    コの字状に形成された板体
２    金属板ティッシュペーパー箱ホルダー
１１  コの字状に形成された側面板１１
１２  爪状部分
１３  コの字状に形成された底板
１４  止着用穴
１５  爪状部分の根元部分
１６  コの字状に形成された側面板１１の下端部分
１７  コの字状に形成された側面板１１の上端部分
１８  爪状部分先端鋭角部分
１９  爪状部分先端平坦部分
２０  爪状部分の根元部分
２１  金属側面板部
２２  金属折り曲げ部
２３  金属爪状部形成用側面板部
２４  金属爪状部形成用折り曲げ部
２５  金属板爪状部
２６  金属底板部
２７  金属板止着用穴
２８  取付用金属板部
２９  フック用取付穴
７１  両面テープ
７２  磁石板
８０  ティッシュペーパー箱
９０  箱上面保持型ティッシュペーパー箱ホルダー
９１  側壁
９２  基板底部
９３  上壁
１００指
【図１】
2006130281.tif 000003
【図２】
2006130281.tif 000004
【図３】
2006130281.tif 000005
【図４】
2006130281.tif 000006
【図５】
2006130281.tif 000007
【図６】
2006130281.tif 000008
【図７】
2006130281.tif 000009
【図８】
2006130281.tif 000010
【図９】
2006130281.tif 000011
【図１０】
2006130281.tif 000012
【図１１】
2006130281.tif 000013